(57)【要約】【課題】  簡単安価な構造で球面収差補正を正常に行なうこと。【解決手段】  レンズホルダ６の一端部側面にガイド片１８が一体突設され、該ガイド片１８の外周縁にホルダガイド部１０の一対の摺動面１８ａ，１８ｂが互いに平行して形成され、その一対の摺動面１８ａ，１８ｂに対向するガイドシャフト１９，２０がガイド片１８を間に挟んで互いに所定間隔をおいて平行して一対設けられ、レンズホルダ６の一側縁６ａのメインシャフト７とガイド片１８との間に磁性体２２が固着され、該磁性体２２に対向してスライドベース１の底板１ａにマグネット２３が固着されており、そのマグネット２３の磁気吸引力で磁性体２２を吸引することにより、ガイド片１８の一方の摺動面１８ａを一方のガイドシャフト１９のガイド面１９ａに常時接触させている。【選択図】        図２
2012190521.tif 000002
【特許請求の範囲】
【請求項１】
ディスクの半径方向に沿って移動可能なスライドベースに対物レンズとレーザダイオー
ドとを備えた光ピックアップが設けられ、前記対物レンズとレーザダイオードとの間に配
置された球面収差補正レンズを往復移動させるための球面収差補正機構が設けられ、該球
面収差補正機構が、球面収差補正レンズを一端部に取り付けたレンズホルダを有し、該レ
ンズホルダがその中央ボス部をメインシャフトに移動可能に嵌合させることにより球面収
差補正レンズを通る光軸に沿って移動可能に形成され、リードスクリューに螺合するリー
ドナットがレンズホルダに係合され、該レンズホルダをリードナットに押し付けるホルダ
押さえばねが設けられ、メインシャフトと平行してスライドベースに一体形成されたガイ
ドシャフトと、該ガイドシャフトの両ガイド面に対向してレンズホルダに形成された一対
の摺動面とを有するホルダガイド部が設けられており、リードスクリューを正逆回転させ
てリードナット及びレンズホルダを介して球面収差補正レンズを光軸に沿って往復移動さ
せることにより球面収差を補正し、レーザダイオードからレーザ光を球面収差補正レンズ
及び対物レンズを通ってディスクに投射し、その反射光に基づいてディスクに記録されて
いる情報を読み取るようにしたディスク装置において、前記スライドベースとレンズホル
ダとのうち、その一方にマグネットが設けられると共に、その他方に磁性体が設けられて
おり、そのマグネットの磁気吸引力で磁性体を吸引することにより、ホルダガイド部の一
方の摺動面をガイドシャフトのガイド面に当接させるようにしたことを特徴とするディス
ク装置。
【請求項２】
前記レンズホルダにガイド片が一体突設され、該ガイド片の外周縁に前記ホルダガイド
部の一対の摺動面が形成され、その一対の摺動面に対向するガイドシャフトがガイド片を
間に挟んで互いに所定間隔をおいて平行して一対設けられていることを特徴とする請求項
１に記載のディスク装置。
【請求項３】
前記リードナットに一体突設した突起部を移動可能に嵌入させる回り止め溝がスライド
ベースに一体形成されていることを特徴とする請求項１または２に記載のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、簡単安価な構造で球面収差補正を正常に行なうことができるよ
うにしたものである。
【背景技術】
【０００２】
図４の概略図はディスク装置の一例を示すものであり、これはＢｌｕ−ｒａｙ  Ｄｉｓ
ｃ式のレコーダ（またはプレーヤ）であって、ディスクＤの半径方向に沿って移動可能な
スライドベース１に対物レンズＯＬとレーザダイオードＬＤとを備えた光ピックアップ２
が設けられ、球面収差補正機構３により往復移動される球面収差補正レンズ４が対物レン
ズＯＬとレーザダイオードＬＤとの間に配置され、前記球面収差補正レンズ４としてコリ
メートレンズを用いることにより、球面収差を補正する機能とコリメート（収束）させる
機能とを併せ持たせている。なお、ＰＢＳは偏光ビームスプリッタである。
【０００３】
従来、球面収差補正機構３の一例として図５及び図６に示すものがあり、図５は同平面
図、図６はＢ−Ｂ矢視図である。
【０００４】
図５及び図６に示すように、球面収差補正機構３は、球面収差補正レンズ４を一端部に
取り付けたレンズホルダ６を有し、該レンズホルダ６の中央ボス部６Ａをスライドベース
１に固定したメインシャフト７に移動可能に嵌合させ、前記メインシャフト７と平行して
スライドベース１に一体形成されたガイドシャフト８と、レンズホルダ６の他端部側面に
凹設されてガイドシャフト８に移動可能に嵌合される凹溝９とからなるホルダガイド部１
０を設けており、球面収差補正レンズ４を通る光軸Ｏに沿ってレンズホルダ６が矢印ａ，
ｂ方向に移動可能に形成されている。
【０００５】
図５及び図６に示すように、レンズホルダ６の一側縁６ａの中央ボス部６Ａと凹溝９と
の間に切り欠き溝６ｃが形成され、モータ１１により正逆回転されるリードスクリュー１
２がメインシャフト７と平行して切り欠き溝６ｃに遊嵌入され、該リードスクリュー１２
にリードナット１３が螺合され、該リードナット１３の上端に一体突設した突起部１３ａ
がレンズホルダ６の他側縁６ｂに一体突設した突条部６Ｂを切り欠いて形成した回り止め
溝１４に嵌入され、メインシャフト７に遊外嵌するコイル状ホルダ押さえばね１５により
レンズホルダ６がリードナット１３に押し付けられている。図５中、１６はリードナット
１３がリードスクリュー１２から離脱されるのを阻止する板ばねである。
【０００６】
情報読取手順を説明すると、レーザダイオードＬＤから球面収差補正レンズ４及び対物
レンズＯＬを通ってレーザ光をディスクＤに投射すると共に、モータ１１を駆動してリー
ドスクリュー１２を正逆回転させることにより、リードナット１３も正逆回転ｃ，ｄされ
、該リードナット１３の突起部１３ａを回り止め溝１４の内側面１４ａ，１４ｂに当てる
ことにより、該リードナット１３とレンズホルダ６とを一体的に矢印ａ，ｂ方向に移動さ
せ、これによって、球面収差補正レンズ４を光軸Ｏに沿って往復移動させて球面収差を補
正し、ディスクＤの記録面で反射された反射光に基づいて情報を読み取り、映像の再生や
記録を行う。なお、関連する技術として特許文献１に記載したものがある。
【先行技術文献】
【特許文献】
【０００７】
【特許文献１】特開２００９−２７７３３０号公報
【発明の概要】
【発明が解決しようとする課題】
【０００８】
上記従来の構成では、円柱状のメインシャフト７がレンズホルダ６の中央ボス部６Ａの
円形状貫通孔１８に挿通されて、該メインシャフト７を中心にレンズホルダ６が揺動ｅ，
ｆ可能に形成されているので、モータ１１を駆動してリードスクリュー１２を正逆回転さ
せることにより、リードナット１３が正転ｃされると、該リードナット１３の突起部１３
ａが回り止め溝１４の一方の内側面１４ａに当たってレンズホルダ６が矢印ｅ方向に押さ
れ、リードナット１３が逆転ｄされると、該リードナット１３の突起部１３ａが回り止め
溝１４の内側面１４ｂに当たってレンズホルダ６が矢印ｆ方向に押され、その結果、レン
ズホルダ６がメインシャフト７を中心に揺動ｅ，ｆされ、球面収差補正レンズ４の中心も
揺れて光軸Ｏに対し位置ずれし、球面収差補正に誤差が生じるおそれがあり、それを防止
するため、図６に示すように、ホルダガイド部１０における凹溝９の両摺動面９ａ，９ｂ
をガイドシャフト８の両ガイド面８ａ，８ｂに摺動可能に対向させている。
【０００９】
上記構成では、凹溝９の摺動面９ａ，９ｂとそれに対向するガイドシャフト８のガイド
面８ａ，８ｂとの間にわずかな隙間が生じ、その隙間の存在により、レンズホルダ６がメ
インシャフト７を中心にわずかに揺動ｅ，ｆされ、球面収差補正レンズ４の中心も揺れて
光軸Ｏに対し位置ずれし、球面収差補正に誤差が生じるおそれがある。
【００１０】
また、摺動面９ａ，９ｂが凹溝９の内部に形成されているので、その摺動面９ａ，９ｂ
を精密に仕上げるのに手間と時間とがかかって面倒である。
【００１１】
本発明は、上記従来の欠点に鑑み、簡単安価な構造で球面収差補正を正常に行なうこと
ができるようにしたディスク装置を提供することを目的としている。
【課題を解決するための手段】
【００１２】
上記目的を達成するため、請求項１に記載の発明は、ディスクの半径方向に沿って移動
可能なスライドベースに対物レンズとレーザダイオードとを備えた光ピックアップが設け
られ、前記対物レンズとレーザダイオードとの間に配置された球面収差補正レンズを往復
移動させるための球面収差補正機構が設けられ、該球面収差補正機構が、球面収差補正レ
ンズを一端部に取り付けたレンズホルダを有し、該レンズホルダがその中央ボス部をメイ
ンシャフトに移動可能に嵌合させることにより球面収差補正レンズを通る光軸に沿って移
動可能に形成され、リードスクリューに螺合するリードナットがレンズホルダに係合され
、該レンズホルダをリードナットに押し付けるホルダ押さえばねが設けられ、メインシャ
フトと平行してスライドベースに一体形成されたガイドシャフトと、該ガイドシャフトの
両ガイド面に対向してレンズホルダに形成された一対の摺動面とを有するホルダガイド部
が設けられており、リードスクリューを正逆回転させてリードナット及びレンズホルダを
介して球面収差補正レンズを光軸に沿って往復移動させることにより球面収差を補正し、
レーザダイオードからレーザ光を球面収差補正レンズ及び対物レンズを通ってディスクに
投射し、その反射光に基づいてディスクに記録されている情報を読み取るようにしたディ
スク装置において、前記スライドベースとレンズホルダとのうち、その一方にマグネット
が設けられると共に、その他方に磁性体が設けられており、そのマグネットの磁気吸引力
で磁性体を吸引することにより、ホルダガイド部の一方の摺動面をガイドシャフトのガイ
ド面に当接させるようにしたことを特徴としている。
【００１３】
請求項２に記載の発明は、請求項１に記載の発明において、前記レンズホルダにガイド
片が一体突設され、該ガイド片の外周縁に前記ホルダガイド部の一対の摺動面が形成され
、その一対の摺動面に対向するガイドシャフトがガイド片を間に挟んで互いに所定間隔を
おいて平行して一対設けられていることを特徴としている。
【００１４】
請求項３に記載の発明は、請求項１または２に記載の発明において、前記リードナット
に一体突設した突起部を移動可能に嵌入させる回り止め溝がスライドベースに一体形成さ
れていることを特徴としている。
【発明の効果】
【００１５】
請求項１に記載の発明によれば、マグネットの磁気吸引による所定の押圧力でホルダガ
イド部の一方の摺動面をガイドシャフトのガイド面に常時接触させているので、レンズホ
ルダを揺動させることなくガイドシャフトに沿って円滑に往復移動させることができ、従
来のようにレンズホルダの揺動により球面収差補正レンズの中心が揺れて光軸に対し位置
ずれすることが無くなり、その球面収差補正レンズによる球面収差補正を誤差無く迅速に
行うことができる。
【００１６】
請求項２に記載の発明によれば、レンズホルダのガイド片に形成した摺動面が外部に露
出され、そのレンズホルダをガイドするガイドシャフトのガイド面も外部に露出されてい
るので、その摺動面及びガイド面の精密仕上げを迅速且つ容易に行うことができる。
【００１７】
請求項３に記載の発明によれば、リードスクリューを正逆回転させることにより、リー
ドナットの突条部が回り止め溝の内周面に当たるが、その回り止め溝がスライドベースに
一体形成されているので、従来のようにリードスクリューの正逆回転力によりリードナッ
トの突条部を介してレンズホルダがメインシャフトを中心に揺動されることが無くなり、
球面収差補正を迅速容易に行うことができる。
【図面の簡単な説明】
【００１８】
【図１】本発明の実施の一形態であるディスク装置の平面図である。
【図２】図１のＡ−Ａ矢視図である。
【図３】同分解斜視図である。
【図４】ディスク装置の概略図である。
【図５】従来例を示す平面図である。
【図６】図５のＢ−Ｂ矢視図である。
【発明を実施するための形態】
【００１９】
図１〜図３は本発明の実施の一形態であるディスク装置を示すものであり、これはＢｌ
ｕ−ｒａｙ  Ｄｉｓｃ式のレコーダ（またはプレーヤ）であって、レンズホルダ６の一端
部側面にガイド片１８が一体突設され、該ガイド片１８の外周縁にホルダガイド部１０の
一対の摺動面１８ａ，１８ｂが互いに平行して形成され、その一対の摺動面１８ａ，１８
ｂに対向するガイドシャフト１９，２０がガイド片１８を間に挟んで互いに所定間隔をお
いて平行して一対設けられている。
【００２０】
前記両摺動面１８ａ，１８ｂに対向する一対のガイドシャフト１９，２０のガイド面１
９ａ，２０ａ間の間隔ｄ１が該両摺動面１８ａ，１８ｂ間の間隔ｄ２よりもわずかに大き
く設定され、一方の摺動面１８ａを一方のガイドシャフト１９のガイド面１９ａに当接さ
せたときに、他方の摺動面１８ｂと他方のガイドシャフト２０のガイド面２０ａとの間に
微小の隙間α（例えば０．０１〜０．０５ｍｍ程度）が生じるように設定しており、レン
ズホルダ６を両ガイドシャフト１９，２０に沿って矢印ａ，ｂ方向に円滑に往復移動させ
ることができる。
【００２１】
前記一対のガイドシャフト１９，２０のうち、その一方のガイドシャフト１９がスライ
ドベース１の底板１ａに一体形成されると共に、その他方のガイドシャフト２０がスライ
ドベース１の側板１ｂに一体形成され、その一方のガイドシャフト１９が矢印ａ，ｂ方向
とは直交する方向に沿って他方のガイドシャフト２０よりもスライドベース１の中央側に
近づくように所定間隔ｈだけ位置ずれされ、一方のガイドシャフト１９に対向してガイド
片１８の一方の先端角部を切除して傾斜面１８ｃが形成されており、レンズホルダ６を把
持してガイド片１８を斜め上方から両ガイドシャフト１９，２０間に容易に差し込むこと
ができるようになっている。
【００２２】
前記レンズホルダ６の一側縁６ａのメインシャフト７とガイド片１８との間に鉄板など
の磁性体２２が固着され、該磁性体２２に対向してスライドベース１の底板１ａにマグネ
ット２３が固着されており、そのマグネット２３の磁気吸引力で磁性体２２を吸引するこ
とにより、ガイド片１８の一方の摺動面１８ａを一方のガイドシャフト１９のガイド面１
９ａに常時接触させている。
【００２３】
図３に示すように、リードナット１３に一対の突起部１３ａが互いに１８０°の間隔を
おいて一体突設されており、そのいずれか一方の突起部１３ａを移動可能に嵌入させる回
り止め溝１４がスライドベース１の底板１ａに一体形成されている。なお、図５及び図６
に示す構成と同一部分に同一符号を付してその説明を省略する。
【００２４】
球面収差の補正手順を説明すると、モータ１１を駆動してリードスクリュー１２を正逆
回転させることにより、リードナット１３が正逆回転ｃ，ｄされると、該リードナット１
３とそれに圧接するレンズホルダ６とがメインシャフト７及びガイドシャフト１９，２０
に沿って矢印ａ，ｂ方向に移動され、これにより、球面収差補正レンズ４を光軸Ｏに沿っ
て往復移動させて球面収差を補正し、ディスクＤの記録面で反射された反射光に基づいて
情報を読み取り、映像の再生や記録を行う。
【００２５】
上記構成によれば、マグネット２３の磁気吸引による所定の押圧力Ｆで摺動面１８ａを
ガイド面１９ａに常時接触させているので、レンズホルダ６を揺動させることなく一方の
ガイドシャフト１９に沿って円滑に往復移動させることができ、従来のようにレンズホル
ダ６の揺動により球面収差補正レンズ４の中心が揺れて光軸Ｏに対し位置ずれすることが
無くなり、その球面収差補正レンズ４による球面収差補正を誤差無く迅速に行うことがで
きる。
【００２６】
また、レンズホルダ６のガイド片１８に形成した摺動面１８ａ，１８ｂが外部に露出さ
れ、そのレンズホルダ６を矢印ａ，ｂ方向にガイドするガイドシャフト１９，２０のガイ
ド面１９ａ，１９ｂも外部に露出されているので、その摺動面１８ａ，１８ｂ及びガイド
面１９ａ，１９ｂの精密仕上げを迅速且つ容易に行うことができる。
【００２７】
更に、リードスクリュー１２を正逆回転ｃ，ｄさせることにより、該リードナット１３
の突起部１３ａが回り止め溝１４の内側面１４ａ，１４ｂに当たるが、その回り止め溝１
４がスライドベース１に一体形成されているので、従来のようにリードナット１３の正逆
回転力により該リードナット１３の突起部１３ａを介してレンズホルダ６がメインシャフ
ト７を中心に矢印ｅ，ｆ方向に揺動されることが無くなり、球面収差補正を迅速容易に行
うことができる。
【００２８】
上記構成では、磁性体２２をレンズホルダ６に固着し、マグネット２３をスライドベー
ス１に固着したが、その逆に、磁性体２２をスライドベース１に固着し、マグネット２３
をレンズホルダ６に固着するようにしてもよい。
【００２９】
また、マグネット２３の磁気吸引による所定の押圧力Ｆで一方の摺動面１８ａを一方の
ガイド面１９ａに常時接触させたが、そのマグネット２３及び磁性体２２の配置を変えて
、その磁気吸引による所定の押圧力Ｆで他方の摺動面１８ｂを他方のガイド面２０ａに常
時接触させるようにしてもよい。
【符号の説明】
【００３０】
１              スライドベース
２              光ピックアップ
３              球面収差補正機構
４              球面収差補正レンズ
６              レンズホルダ
６Ａ            レンズホルダの中央ボス部
７              メインシャフト
１０            ホルダガイド部
１２            リードスクリュー
１３            リードナット
１５            押さえばね
１８            ガイド片
１８ａ，１８ｂ  ガイド片の摺動面
１９，２０      ガイドシャフト
１９ａ，２０ａ  ガイドシャフトのガイド面
２２            磁性体
２３            マグネット
Ｄ              ディスク
ＯＬ            対物レンズ
ＬＤ            レーザダイオード
Ｏ              光軸
【図１】
2012190521.tif 000003
【図２】
2012190521.tif 000004
【図３】
2012190521.tif 000005
【図４】
2012190521.tif 000006
【図５】
2012190521.tif 000007
【図６】
2012190521.tif 000008